(57)【要約】【課題】複写機で複製された複製物であることを肉眼で把握するための新規な印刷技術を提供する。【解決手段】複写偽造防止印刷物であって、肉眼では認識しにくい程度の細かな模様で濃淡が表現された文字又は図形である特殊画像が印刷され、前記特殊画像は、複写機で複写された場合に肉眼で把握できる程度の変化を複製物に生じさせる。【選択図】図３
2015217656.tif 000002
【特許請求の範囲】
【請求項１】
肉眼では認識しにくい程度の細かな模様で濃淡が表現された文字又は図形である特殊画像が印刷され、
前記特殊画像は、複写機で複写された場合に肉眼で把握できる程度の変化を複製物に生じさせる
ことを特徴とする複写偽造防止印刷物。
【請求項２】
請求項１に記載の複写偽造防止印刷物であって、
前記模様は、互いに間隔を空けて配置された複数の線である並列線を含み、
前記並列線を構成する前記線の太さ及び前記線同士の間隔のうちの少なくとも一方は、複写機で複写された場合に前記線及び前記線同士に挟まれた部分のうち少なくとも一方が正常に再現されない値に設定されている
ことを特徴とする複写偽造防止印刷物。
【請求項３】
請求項２に記載の複写偽造防止印刷物であって、
前記並列線を構成する前記線の太さが、０．０５〜０．３ｍｍである
ことを特徴とする複写偽造防止印刷物。
【請求項４】
請求項２又は請求項３に記載の複写偽造防止印刷物であって、
前記並列線を構成する前記線同士の間隔が、０．０５〜０．３ｍｍである
ことを特徴とする複写偽造防止印刷物。
【請求項５】
請求項２から請求項４までのいずれか１項に記載の複写偽造防止印刷物であって、
前記模様は、一定のピッチで規則的に並んだ同一形状の線の集まりである
ことを特徴とする複写偽造防止印刷物。
【請求項６】
請求項２から請求項４までのいずれか１項に記載の複写偽造防止印刷物であって、
前記模様は、規則的に並んだ複数の図形の集まりである
ことを特徴とする複写偽造防止印刷物。
【請求項７】
請求項２から請求項６までのいずれか１項に記載の複写偽造防止印刷物であって、
前記特殊画像の背景の濃淡が、前記特殊画像とは異なるパターンの模様で表現されている
ことを特徴とする複写偽造防止印刷物。
【請求項８】
請求項２から請求項７までのいずれか１項に記載の複写偽造防止印刷物であって、
前記模様のパターンが異なる複数種類の前記特殊画像が印刷されている
ことを特徴とする複写偽造防止印刷物。
【請求項９】
請求項８に記載の複写偽造防止印刷物であって、
第１の角度の万線で表現された前記特殊画像と、
前記第１の角度とは異なる第２の角度の万線で表現された前記特殊画像と、
が印刷されていることを特徴とする複写偽造防止印刷物。
【請求項１０】
請求項１から請求項９までのいずれか１項に記載の複写偽造防止印刷物であって、
印刷基材の表面に第１の色のインクにより下地層が形成され、
前記特殊画像を表す第２の色のインク層が前記下地層の表面に形成されている
ことを特徴とする複写偽造防止印刷物。
【発明の詳細な説明】
【技術分野】
【０００１】
本発明は、印刷物の偽造を防止するための印刷技術に関する。
【背景技術】
【０００２】
チケット等の印刷物がデジタルコピー機等の複写機で複製（偽造）されて不正に使用されることを防ぐため、複写機で複写された場合に肉眼で把握できる程度の変化を複製物に生じさせるための印刷技術が種々提案されている。
【０００３】
例えば特許文献１には、画像部分と非画像部分とをベタ又は地紋で刷り分けてなる２色刷り印刷物であって、肉眼では判別しやすいが、複写後は再現濃度がほぼ同一となり判別しにくくなる２色のカラーの組合せによって、画像部分と非画像部分とが毛抜き合わせで印刷されているコピー防止印刷物について記載されている。
【０００４】
また、特許文献２には、５００ｎｍ〜６００ｎｍの波長域で反射率の低いパープル系統、セピア系統、藍系統等の色からなり、５０〜８０％の網点又は線群を背景部として印刷し、更に同色で、地紋をベタ印刷することにより形成される複写不能領域を備えたものにおいて、背景部となる網点又は線群を、複写機の解像度に近い密度とし、かつ複写機で複写することによりモアレを生ずる角度で、読取り基準方向に対して傾斜させて印刷した複写不能帳票について記載されている。
【０００５】
また、特許文献３には、網点による背景部と、背景部全面に散在しかつベタによる地紋とを含む版で、光吸収性インク印刷層が印刷されている複写不能用紙について記載されている。
【０００６】
また、特許文献４には、文字及び背景の一方にリバーシブルサーモクロミックインクが用いられ、他方に通常の印刷インクが用いられたカラーコピー防止印刷物について記載されている。
【先行技術文献】
【特許文献】
【０００７】
【特許文献１】特許第３３０６４５８号公報
【特許文献２】特許第２９９０５６４号公報
【特許文献３】特開平６−７９９９２号公報
【特許文献４】特開２０００−６５６５号公報
【発明の概要】
【発明が解決しようとする課題】
【０００８】
前述のように、複写機で複写された場合に肉眼で把握できる程度の変化を複製物に生じさせるための印刷技術として、種々の技術が提案されている。しかしながら、特殊なインクが必要となる、印刷方法が複雑になる、といった問題があった。
【０００９】
一方、本発明者は、肉眼では認識しにくい程度の細かな万線（規則的に並んだ平行線の集まり）で、文字の濃淡が表現された印刷物を、複写機で複写した場合に、複製物における文字の見え方が、複写前の文字と比較して大きく変化する（文字自体が崩れる）現象を発見した。
【００１０】
本発明の一側面は、複写機で複製された複製物であることを肉眼で把握するための新規な印刷技術を提供することを目的としている。
【課題を解決するための手段】
【００１１】
本発明の一側面は、複写偽造防止印刷物であって、肉眼では認識しにくい程度の細かな模様で濃淡が表現された文字又は図形である特殊画像が印刷され、前記特殊画像は、複写機で複写された場合に肉眼で把握できる程度の変化を複製物に生じさせる。このような構成によれば、特殊なインクを用いなくても、複写機で複製された複製物であることを肉眼で把握することができる。したがって、特殊なインクを用いて製造する場合や、複雑な印刷方法で製造する場合と比較して、製造コストの低減を図ることができ、また、印刷の制約が少なくなる分、印刷物の自由度を高くすることができる。
【００１２】
上記構成において、前記模様は、互いに間隔を空けて配置された複数の線である並列線を含み、前記並列線を構成する前記線の太さ及び前記線同士の間隔のうちの少なくとも一方は、複写機で複写された場合に前記線及び前記線同士に挟まれた部分のうち少なくとも一方が正常に再現されない値に設定されていてもよい。このような構成によれば、肉眼で自然な見え方を実現しつつ（違和感を抑えつつ）、複写前後での特殊画像の変化を生じやすくすることができる。ここでいう線とは、直線に限定されるものではなく、例えば曲線も含まれる。また、ここでいう線同士の間隔とは、線が描かれていない部分の幅である。線の太さは、一定であることが通常であるが、これに限定されるものではなく、一定でなくてもよい。同様に、線同士の間隔についても、一定でなくてもよい。模様は、並列線のみで構成されていてもよく、また、並列線以外の部分を含むものでもよい。
【００１３】
上記構成において、前記並列線を構成する前記線の太さが、０．０５〜０．３ｍｍであってもよい。このような構成によれば、複写機で複写された場合に、並列線を構成する線が正常に再現されにくくすることができる。
【００１４】
上記構成において、前記並列線を構成する前記線同士の間隔が、０．０５〜０．３ｍｍであってもよい。このような構成によれば、複写機で複写された場合に、並列線を構成する線同士に挟まれた部分が正常に再現されにくくすることができる。
【００１５】
上記構成において、前記模様は、一定のピッチで規則的に並んだ同一形状の線の集まり（例えば万線）であってもよい。ここでいうピッチとは、ある太さ（一定でなくてもよい。）を有する線の中心線と、他の線の中心線と、の間隔をいう。つまり、ピッチとは、線の太さの影響を受けない値である。また、ここでいう形状とは、例えば、直線状、円弧状、波状など、線自体の形を意味する。
【００１６】
上記構成において、前記模様は、規則的に並んだ複数の図形の集まりであってもよい。なお、並列線は、各図形に含まれていてもよく、また、図形同士が並ぶことにより形成されてもよい。
【００１７】
上記構成において、前記特殊画像の背景の濃淡が、前記特殊画像とは異なるパターンの模様で表現されていてもよい。このような構成によれば、特殊画像の背景についても複写前後で変化を生じやすくすることができるため、複写前後での見え方の違いをより大きくすることができる。
【００１８】
上記構成において、前記模様のパターンが異なる複数種類の前記特殊画像が印刷されていてもよい。このような構成によれば、複写前後で変化の生じやすい模様のパターンが複写条件によって異なる場合に、変化の生じやすいパターンが印刷物に含まれる確率を高くすることができる。
【００１９】
上記構成において、第１の角度の万線で表現された前記特殊画像と、前記第１の角度とは異なる第２の角度の万線で表現された前記特殊画像と、が印刷されていてもよい。このような構成によれば、複写前後での変化が、複写機へセットされる印刷物の向きなどによって異なる場合に、複写前後で特殊画像の変化が生じる確率を高くすることができる。
【００２０】
上記構成において、印刷基材の表面に第１の色のインクにより下地層が形成され、前記特殊画像を表す第２の色のインク層が前記下地層の表面に形成されていてもよい。このような構成によれば、印刷面が滑らかであるほど複写前後で変化が生じにくい場合に、下地層を形成しない場合と比較して表面の滑らかさを損なわせることができ、複写前後での変化を生じやすくすることができる。
【図面の簡単な説明】
【００２１】
【図１】実施形態の複写偽造防止印刷物の模式的な外観図である。
【図２】複写偽造防止印刷物の上部又は下部に印刷された特殊画像の拡大図である。
【図３】特殊画像を更に拡大した図である。
【図４】実施形態の特殊画像を複写機で複写した場合の複写結果を示す図である。
【図５】万線のパターンが異なる複数種類の特殊画像が印刷された例を示す図である。
【図６】印刷基材の表面に白色のインクにより下地層が形成された例を示す図である。
【図７】変形例の特殊画像の拡大図である。
【図８】変形例の特殊画像を更に拡大した図である。
【図９】変形例の特殊画像を複写機で複写した場合の複写結果を示す図である。
【発明を実施するための形態】
【００２２】
以下、本発明が適用された実施形態について、図面を用いて説明する。
図１は、本実施形態の複写偽造防止印刷物１の模式的な外観図である。図１に示す複写偽造防止印刷物１は、シート状の印刷基材１０の表面（片面又は両面）に文字、図形、写真等が直接印刷されたものであり、例えば、特定の店舗で使用可能な割引券や金券などとして用いられる。複写偽造防止印刷物１の上部１１及び下部１２には、複写機で複写された場合に肉眼で把握できる程度の変化（例えば文字自体の崩れ）を複製物に生じさせる特殊画像が印刷されている。ここでいう特殊画像とは、肉眼で十分に（はっきりと）認識可能な文字（数字や記号も含まれる。）又は図形であって、肉眼では認識しにくい程度の細かな模様で濃淡が表現されたものである。複写偽造防止印刷物１の中央部（上部１１及び下部１２に挟まれた部分）には、複写偽造防止印刷物１の用途に応じた文字、図形、写真等（例えば「１００円割引券」といった文字や対象商品の写真等）が印刷されていてもよい。
【００２３】
なお、複写偽造防止印刷物１の用途は、割引券や金券に限定されるものではなく、他の用途であってもよい。また、特殊画像の印刷される位置は、複写偽造防止印刷物１の上部１１及び下部１２に限定されるものではなく、例えば他の位置であってもよい。また、特殊画像の印刷される領域は、複写偽造防止印刷物１における一部の領域に限定されるものではなく、複写偽造防止印刷物１の全域であってもよい。
【００２４】
図２は、複写偽造防止印刷物１の上部１１又は下部１２に印刷された特殊画像Ｃの拡大図である。また、図３は、特殊画像Ｃを更に拡大した図である。図２及び図３に示すように、本実施形態の特殊画像Ｃは、肉眼で十分に認識可能な文字（この例では「ＤＴＰ」という文字）であって、肉眼では認識しにくい程度の細かな万線（一定のピッチで規則的に並んだ直線（平行線）の集まり）で濃淡が表現されている。本実施形態では、万線を構成する線の太さ及び線同士の間隔（線が描かれていない部分の幅）が一定であり、複写機で複写された場合に線及び線同士に挟まれた部分が正常に再現されない値に設定されている。例えば、複数の線が太い１本の線と誤認識されたり、線自体が認識されなかったりするような線の太さや線同士の間隔は、「正常に再現されない値」の一例となり得る。なお、図２及び図３に示す文字の内容は一例であり、特に限定されない。
【００２５】
また、本実施形態では、特殊画像Ｃの背景Ｂの濃淡が、特殊画像Ｃとは異なるパターンの万線で表現されている。具体的には、特殊画像Ｃの濃淡が縦方向の万線で表現され、背景Ｂの濃淡が横方向の万線で表現されている。本実施形態では、背景Ｂも、肉眼では認識しにくい程度の細かな万線で濃淡が表現され、万線を構成する線の太さ及び線同士の間隔は、複写機で複写された場合に線及び線同士に挟まれた部分が正常に再現されない値に設定されている。
【００２６】
図４は、図２に示す特殊画像Ｃを実際に複写機で複写した場合の複写結果（複製物の特殊画像Ｃ）を示す。図４に示すように、複製物の特殊画像Ｃには、モワレやブロック状のノイズのようなものが生じ、特殊画像Ｃ自体に崩れが生じている。加えて、背景Ｂにも崩れが生じている。細かく観察すると、この例では、複数の線が１本の線として表現されている部分や、線が消えている部分などが確認される。これらの部分は、不規則な位置に発生している。したがって、複写元の特殊画像Ｃ（図２）とは明らかに見え方が変化する。
【００２７】
複写前後で見え方が変化する特殊画像Ｃの模様としては、種々の模様を用いることが可能であり、模様に応じて変化の度合いが異なり得る。本発明者が試験したところ、次のような傾向が確認された。また、本発明は、以下の数値範囲に限定されない。
【００２８】
特殊画像の模様（万線に限らない。）を構成する線の太さが、０．０５〜０．３ｍｍの範囲内である場合、特に、０．１〜０．２ｍｍの範囲内である場合に、特殊画像の見え方が大きく変化した。なお、この数値範囲は、肉眼では認識しにくい程度の細かな模様の一例である。
【００２９】
特殊画像の模様（万線に限らない。）を構成する線の線同士の間隔が、０．０５〜０．３ｍｍの範囲内である場合、特に、０．１〜０．２ｍｍの範囲内である場合に、特殊画像の見え方が大きく変化した。なお、この数値範囲も、肉眼では認識しにくい程度の細かな模様の一例である。
【００３０】
特殊画像の模様及び背景の模様がいずれも万線であって、背景の万線の角度に対する特殊画像の万線の角度が３０〜９０度の範囲内である場合、特に、４５〜９０度の範囲内である場合に、特殊画像の見え方が大きく変化した。
【００３１】
以上詳述した実施形態によれば、以下の効果が得られる。
複写偽造防止印刷物１は、肉眼では認識しにくい程度の細かな模様で濃淡が表現された文字又は図形（本実施形態では文字）である特殊画像Ｃが印刷され、特殊画像Ｃは、複写機で複写された場合に肉眼で把握できる程度の変化（本実施形態では特殊画像Ｃの崩れ及び背景Ｂの崩れ）を複製物に生じさせる。したがって、複写偽造防止印刷物１によれば、特殊なインクを用いなくても、複写機で複製された複製物であることを肉眼で把握することができる。その結果、特殊なインクを用いて製造する場合や、複雑な印刷方法で製造する場合と比較して、製造コストの低減を図ることができ、また、印刷の制約が少なくなる分、印刷物の自由度を高くすることができる。
【００３２】
複写偽造防止印刷物１において、特殊画像Ｃの濃淡を表現する模様は、互いに間隔を空けて配置された複数の線である並列線（本実施形態では万線）を含む（本実施形態では並列線のみで構成されている）。そして、並列線（万線）を構成する線の太さ及び線同士の間隔のうちの少なくとも一方（本実施形態では両方）は、複写機で複写された場合に線及び線同士に挟まれた部分のうち少なくとも一方（本実施形態では両方）が正常に再現されない値に設定されている。したがって、複写偽造防止印刷物１によれば、肉眼で自然な見え方を実現しつつ（違和感を抑えつつ）、複写前後での特殊画像Ｃの変化を生じやすくすることができる。
【００３３】
複写偽造防止印刷物１において、特殊画像Ｃの背景Ｂの濃淡は、特殊画像Ｃとは異なるパターンの模様（本実施形態では万線）で表現されている。したがって、複写偽造防止印刷物１によれば、特殊画像Ｃの背景Ｂについても複写前後で変化を生じやすくすることができるため、複写前後での見え方の違いをより大きくすることができる。
【００３４】
以上、本発明の実施形態について説明したが、本発明は、上記実施形態に限定されることなく、種々の形態を採り得ることは言うまでもない。
（１）同一の特殊画像Ｃであっても、複写条件（例えば、複写に用いられる複写機の種類や、複写機へセットされる印刷物の向き）によって、複写前後での見え方の変化の態様が異なり得る。そこで、複写偽造防止印刷物１には、例えば図５の模式図に示すように、模様（この例では万線）のパターンが異なる複数種類の特殊画像Ｃ１，Ｃ２が印刷されていてもよい。このような複写偽造防止印刷物１によれば、複写前後で変化の生じやすい模様のパターンが複写条件によって異なる場合に、変化の生じやすいパターンが複写偽造防止印刷物１に含まれる確率を高くすることができる。
【００３５】
図５の例では、第１の角度（横方向を０度とした場合９０度）の万線で表現された特殊画像Ｃ１と、第１の角度とは異なる第２の角度（４５度）の万線で表現された特殊画像Ｃ２と、が印刷されている。このような複写偽造防止印刷物１によれば、複写前後での変化が、複写機へセットされる印刷物の向きなどによって異なる場合に、複写前後で特殊画像Ｃの変化が生じる確率を高くすることができる。
【００３６】
（２）上記実施形態では、印刷基材１０の表面に文字、図形、写真等が直接印刷された複写偽造防止印刷物１を例示したが、これに限定されるものではない。例えば、図６に示すように、印刷基材１０の表面に白色（無色）のインクにより下地層２０が形成され、特殊画像Ｃや背景Ｂの濃淡を表現する線（例えば万線）を表す有色（例えば黒色）のインクによるインク層３０が下地層２０の表面に形成されていてもよい。このような構成によれば、印刷面が滑らかであるほど複写前後で特殊画像Ｃの変化が生じにくい場合に、下地層２０を形成しない場合と比較して表面の滑らかさを損なわせることができ、複写前後での特殊画像Ｃの変化を生じやすくすることができる。
【００３７】
すなわち、上記実施形態のような印刷による効果（特殊画像Ｃの変化）を複数種類の印刷基材で試験したところ、印刷面が滑らかであるほど効果が低くなる（特殊画像Ｃの変化が小さくなる）ことが分かった。具体的には、上質紙、マットコート紙、コート紙の３種類を比較すると、上質紙に印刷した場合に効果が最も高くなり、コート紙に印刷した場合に効果が最も低くなる。これは、複写機において原稿を読み取る際の照射光の乱反射度合いが大きいほど、読み取られる内容に乱れが生じやすくなるからであると考えられる。
【００３８】
そこで、図６に示すように、印刷基材１０の表面に下地層２０を形成した構成によれば、特に印刷基材１０の印刷面が滑らかである場合に、下地層２０が形成されていない構成と比較して、滑らかさを損なわせる（微細な凹凸を多くする）ことが可能となる。具体的には、下地層２０を例えばエンボス加工することで凹凸を形成することができる。その結果、例えばコート紙を用いる場合にも、複写前後での変化を大きくすることができる。
【００３９】
また、下地層２０は、ベタ塗りである必要はなく、模様（地紋）であってもよい。例えば、白色のインクにより万線を印刷して下地層２０とし、その上から有色のインクで印刷してもよい。このようにすれば、凹凸をより大きく形成することができる。なお、無色のインクとして、透明なインクを用いてもよい。
【００４０】
（３）上記実施形態では、特殊画像の模様として万線を例示したが、これに限定されるものではない。例えば格子模様のように、規則的に並んだ複数の図形の集まりであって、互いに間隔を空けて配置された複数の線である並列線を含むものであっても同様の効果が得られる。なお、並列線は、各図形に含まれていてもよく、また、図形同士が並ぶことにより形成されてもよい。
【００４１】
図７は、変形例の特殊画像Ｃｖを示す図であり、図８は、変形例の特殊画像Ｃｖの拡大図である。図７及び図８に示すように、変形例の特殊画像Ｃｖは、肉眼で十分に認識可能な文字（この例では「ＤＴＰ」という文字）であって、肉眼では認識しにくい程度の細かな図形（正方形の格子模様）で濃淡が表現されている。図形を構成する線は、第１の方向（横方向）及び第２の方向（縦方向）のうちのいずれかに沿っており、各方向に沿った線は互いに平行である（互いに一定の間隔を空けて配置されている）。少なくとも一部の線の太さ及び線同士の間隔は、複写機で複写された場合に線及び線同士に挟まれた部分が正常に再現されない値に設定されている。なお、図７及び図８に示す文字の内容は一例であり、特に限定されない。
【００４２】
また、特殊画像Ｃｖの背景Ｂｖの濃淡が、特殊画像Ｃｖとは異なるパターンの図形（正方形を構成する線の太さが異なる図形）で表現されている。背景Ｂｖも、肉眼では認識しにくい程度の細かな図形で濃淡が表現され、少なくとも一部の線の太さ及び線同士の間隔は、複写機で複写された場合に線及び線同士に挟まれた部分が正常に再現されない値に設定されている。
【００４３】
図９は、図７に示す特殊画像Ｃｖを実際に複写機で複写した場合の複写結果（複製物の特殊画像Ｃｖ）を示す。図９に示すように、変形例においても、前述した実施形態と同様の変化（特殊画像Ｃｖ自体の崩れ及び背景Ｂｖの崩れ）が生じる。
【００４４】
（４）特殊画像や背景の濃淡を表現する模様は、互いに間隔を空けて配置された複数の曲線を含むものであってもよい。つまり、並列線は、直線に限定されるものではなく、曲線であっても、前述した効果が得られる。曲線としては、例えば、円弧状の線、波状の線、円や楕円を形成する線などが挙げられる。
【００４５】
（５）上記実施形態では、並列線を構成する線の太さが一定の場合を例示したが、これに限定されるものではなく、太さが一定でなくてもよい（例えば徐々に変化してもよい）。この場合にも、前述したように、線の太さが前述した数値範囲内（０．０５〜０．３ｍｍの範囲内、特に、０．１〜０．２ｍｍの範囲内）である場合に、並列線を構成する線が正常に再現されにくくすることができる。同様に、並列線を構成する線同士の間隔についても、一定でなくてもよい（例えば徐々に変化してもよい）。この場合にも、前述したように、線同士の間隔が前述した数値範囲内（０．０５〜０．３ｍｍの範囲内、特に、０．１〜０．２ｍｍの範囲内）である場合に、並列線を構成する線が正常に再現されにくくすることができる。
【００４６】
（６）複写偽造防止印刷物には、上記実施形態以外の偽造防止措置（例えば、特殊なインクを用いた印刷など）が施されていてもよい。
（７）上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【００４７】
（８）本発明は、前述した複写偽造防止印刷物１の他、当該複写偽造防止印刷物１の製造方法など、種々の形態で実現することができる。
【符号の説明】
【００４８】
１…複写偽造防止印刷物、１０…印刷基材、１１…上部、１２…下部、２０…下地層、３０…有色インク層、Ｂ，Ｂｖ…背景、Ｃ，Ｃ１，Ｃ２，Ｃｖ…特殊画像。
【図１】
2015217656.tif 000003
【図６】
2015217656.tif 000004
【図２】
2015217656.tif 000005
【図３】
2015217656.tif 000006
【図４】
2015217656.tif 000007
【図５】
2015217656.tif 000008
【図７】
2015217656.tif 000009
【図８】
2015217656.tif 000010
【図９】
2015217656.tif 000011